(57)【要約】【課題】  本発明は、力を要することなく、インクリボンが巻き回された紙管や転写済みのインクリボンを巻き取る紙管等の管体を着脱することができ、管体に巻き回されているインクリボン等の帯状体にシワが生じることを防止することができる管体着脱装置を提供することを課題とする。【解決手段】  管体固定状態では、板バネ３に外部から力が加わっておらず、板バネ３の先端が基体１に嵌装された中空シャフト２の周面の外側に位置し、装着された管体の面が板バネ３によって付勢され、管体が基体１に固定される。基体１から管体を取り外す時には、操作レバー２３を操作し、操作レバー２３の作用端で基体１の解放端面を押すことにより、中空シャフト２をスライドさせる。中空シャフト２のスライドによって板バネ３を軸心方向に押動し、板バネ３の先端を中空シャフト２の周面の内側に位置させる。【選択図】        図１
2005205740.tif 000002
【特許請求の範囲】
【請求項１】
円柱状の基体に環装される管体を着脱する管体着脱装置であって、
前記基体に取り付けられ、前記管体の内周面を付勢することで、前記基体に環装された前記管体を前記基体に固定する弾性手段と、
前記基体の軸方向にスライドして前記弾性手段による前記管体の固定を解除する固定解除手段と、
該固定解除手段の前記基体の軸方向のスライドを操作する操作手段と、を具備することを特徴とする管体着脱装置。
【請求項２】
前記固定解除手段は、前記基体の軸方向のスライドによって、前記弾性手段を前記基体の軸心方向に押動して前記管体の固定を解除させることを特徴とする請求項１記載の管体着脱装置。
【請求項３】
前記固定解除手段は、前記基体に環装された中空シャフトであり、
前記管体は、前記中空シャフトに環装されることを特徴とする請求項１又は２記載の管体着脱装置。
【請求項４】
前記弾性手段は、取り付け位置から前記基体の軸に対して直交する方向に延出されていると共に、反対方向にそれぞれ延出されていることを特徴とする請求項１乃至３のいずれかに記載の管体着脱装置。
【発明の詳細な説明】
【技術分野】
【０００１】
本発明は、インクリボンが巻き回された紙管が装着されるリボン供給ローラや、転写済みのインクリボンを巻き取る紙管等の管体を着脱する管体着脱装置に関し、特にインクリボンが巻き回された紙管が装着されるリボン供給ローラや、転写済みのインクリボンを巻き取る紙管が装着されるリボンボスとして用いられる管体着脱装置に関する。
【背景技術】
【０００２】
図７は、従来の供給ローラ又は巻き取りローラの構成を示す斜視図である。
熱転写プリンタにおいては、帯状のインクリボン６を印字媒体と共に印字部に供給して印字を行っており、インクリボン６を供給する供給ローラと転写済みのインクリボン６を巻き取る巻き取りローラとを有している。供給ローラ又は巻き取りローラは、例えば、図７に示すように、回転軸４０と、回転軸４０に嵌装された円筒状のリボンボス４１と、リボンボス４１を所定トルクで回転させるためのクラッチ部４２とからなり、インクリボンが巻き回された紙管又は転写済みのインクリボン６を巻き取る紙管等の管体５がリボンボス４１の外側に嵌装され、リボンボス４１の外周面に設けられている板バネ４３によってリボンボス４１に一体的に固定される構成になっている（例えば、特許文献１参照）。
【０００３】
しかしながら、従来技術では、インクリボン６が巻き回された紙管又は転写済みのインクリボンを巻き取る紙管等の管体５をリボンボス４１に着脱する場合には、外周部を直接手で把持して着脱を行うことになるが、紙管の内壁に板バネ４３の付勢力が作用するため、相当の力を要して着脱を行う必要があり、また、インクリボン６が巻き回された管体５をリボンボス４１に着脱する場合には、インクリボン６を手で力強く把持するため、外周の数巻きのインクリボン６にシワが生じてしまうことがあり、シワが生じた部分が使用できなくなってしまうという問題点があった。
【特許文献１】実開平６−３６８５３号公報
【発明の開示】
【発明が解決しようとする課題】
【０００４】
本発明は斯かる問題点を鑑みてなされたものであり、その目的とするところは、力を要することなく、インクリボンが巻き回された紙管や転写済みのインクリボンを巻き取る紙管等の管体を着脱することができ、管体に巻き回されているインクリボン等の帯状体にシワが生じることを防止することができる管体着脱装置を提供する点にある。
【課題を解決するための手段】
【０００５】
本発明は上記課題を解決すべく、以下に掲げる構成とした。
請求項１記載の発明の要旨は、円柱状の基体に環装される管体を着脱する管体着脱装置であって、前記基体に取り付けられ、前記管体の内周面を付勢することで、前記基体に環装された前記管体を前記基体に固定する弾性手段と、前記基体の軸方向にスライドして前記弾性手段による前記管体の固定を解除する固定解除手段と、該固定解除手段の前記基体の軸方向のスライドを操作する操作手段と、を具備することを特徴とする管体着脱装置に存する。
また請求項２記載の発明の要旨は、前記固定解除手段は、前記基体の軸方向のスライドによって、前記弾性手段を前記基体の軸心方向に押動して前記管体の固定を解除させることを特徴とする請求項１記載の管体着脱装置に存する。
また請求項３記載の発明の要旨は、前記固定解除手段は、前記基体に環装された中空シャフトであり、前記管体は、前記中空シャフトに環装されることを特徴とする請求項１又は２記載の管体着脱装置に存する。
また請求項４記載の発明の要旨は、前記弾性手段は、取り付け位置から前記基体の軸に対して直交する方向に延出されていると共に、反対方向にそれぞれ延出されていることを特徴とする請求項１乃至３のいずれかに記載の管体着脱装置に存する。
【発明の効果】
【０００６】
本発明の管体着脱装置は、基体の軸方向にスライドして弾性手段による管体の固定を解除する固定解除手段を設けることにより、管体を着脱する際には、弾性手段から管体に力が作用しないため、力を要することなく、インクリボンが巻き回された紙管や転写済みのインクリボンを巻き取る紙管等の管体を着脱することができ、管体に巻き回されているインクリボン等の帯状体にシワが生じることを防止することができ、ランニングコストを低減することができるという効果を奏する。
【発明を実施するための最良の形態】
【０００７】
以下、本発明の実施の形態を図面に基づいて詳細に説明する。
【０００８】
図１は、本発明に係る管体着脱装置の実施の形態の管体固定状態の構成を示す斜視図であり、図２は、図１に示す基体および板バネの構成を示す斜視図である。図３は、図１に示す管体着脱装置の構成を示す図であり、（ａ）は、上面図であり、（ｂ）は、（ａ）に示すＸ−Ｘ’断面図である。図４は、本発明に係る管体着脱装置の実施の形態の管体解放状態の構成を示す斜視図である。図５は、図４に示す管体着脱装置の構成を示す図であり、（ａ）は、上面図であり、（ｂ）は、（ａ）に示すＹ−Ｙ’断面図である。
【０００９】
本実施の形態の管体着脱装置は、インクリボン６が巻き回された紙管（管体５）が装着されるリボン供給ローラや、転写済みのインクリボン６を巻き取る紙管（管体５）が装着されるリボン巻き取りローラのリボンボスとして用いられるもので、図１を参照すると、円柱状の基体１と、基体１に環装された円筒状の中空シャフト２と、基体１に取り付けられている６本の板バネ３とからなり、装着された管体５を板バネ３によって基体１に固定する構成になっている。
【００１０】
基体１には、図２を参照すると、解放端面、すなわち管体５の着脱が行われる側の面の中央に係止穴１１が形成されていると共に、板バネ３が取り付けられる板バネ取り付け部１２と、板バネ３が退避する退避空間１３とが周面内、すなわち周面の内側に形成されている。
【００１１】
６本の板バネ３は、図２を参照すると、支持部３２から反対方向に３本ずつ延出して一体に形成されており、支持部３２が板バネ取り付け部１２に取り付けられた状態で、基体１の軸に対して直交する方向に延出され、支持部３２を支点として基体１の軸心方向に変位可能になっている。板バネ３の先端Ａは、何も力が加わっていない状態では、図３（ｂ）に示すように、中空シャフト２の周面Ｂの外側に位置するように構成されている。なお、板バネ取り付け部１２が基体１の周面内に形成されているため、板バネ取り付け部１２に取り付けられている支持部３２は、基体１の周面内に位置するように構成され、基体１に環装された円筒状の中空シャフト２のスライド動作を妨げないようになっている。
【００１２】
また、６本の板バネ３には、係合片３１が基体１の軸方向に延出して形成されており、係合片３１の先端は、中空シャフト２の内周面の内側に位置する。従って、係合片３１は、中空シャフト２のスライドに伴って中空シャフト２の内周面に係合し、基体１の軸心方向に押動される。
【００１３】
中空シャフト２は、図１を参照すると、基体１に取り付けられている６本の板バネ３が貫通する開口がそれぞれ形成されており、当該開口に面し、板バネ３の係合片３１に対向する箇所が、中空シャフト２のスライドに伴って係合片３１を押動する押動部２１として機能する。また、中空シャフト２の解放端側には、中空シャフト２の直径方向にレバー支持軸２２が架け渡されており、レバー支持軸２２によって操作レバー２３が軸支されている。
【００１４】
次に、本発明の実施の形態の動作について詳細に説明する。
図１および図３には、管体固定状態、すなわち嵌装された管体５が板バネ３によって固定される状態が示されている。管体固定状態では、板バネ３に外部から力が加わっておらず、図３（ｂ）に示すように、６本の板バネ３の先端Ａが基体１に嵌装された中空シャフト２の周面Ｂの外側に位置する。従って、装着された管体５の内周面が板バネ３によって付勢され、管体５が基体１に固定されることになる。なお、本実施の形態では、板バネ３は、基体１の軸に対して直交する方向に延出されていると共に、反対方向に３本ずつ延出しているため、基体１がどちら向きに回転しても、反対方向に３本ずつ延出している板バネ３のいずれかの先端Ａが管体５に食い込むため、確実に固定することが可能となる。
【００１５】
基体１から管体５を取り外す時には、操作レバー２３を操作し、操作レバー２３の作用端で基体１の解放端面を押すことにより、図３（ａ）に示す矢印Ｃの方向に中空シャフト２がスライドする。中空シャフト２のスライドによって、板バネ３の係合片３１は、押動部２１、すなわち中空シャフト２の内周面によって板バネ３と共に基体１の軸心方向に押動され、板バネ３は、基体１に形成されている退避空間１３に退避される。
【００１６】
操作レバー２３を操作して基体１の軸心と一致するまで回動させると、操作レバー２３の作用端は、図４に示すように、基体１の解放端面に形成された係止穴１１によって係止される。操作レバー２３の作用端が係止穴１１によって係止された状態では、中空シャフト２の押動部２１によって係合片３１および板バネ３が基体１の軸心方向に押動されて、図５（ｂ）に示すように、板バネ３の先端Ａが中空シャフト２の周面Ｂの内側に位置する。以下、図４および図５に示す状態、すなわち、板バネ３の先端Ａが中空シャフト２の周面Ｂの内側に位置する状態を管体解放状態と称す。
【００１７】
管体解放状態においては、管体５が基体１に固定していた板バネ３の先端Ａが管体５の内周面から離脱するため、管体５をスムーズに抜き取ることができ、新たな管体５をスムーズに環装することができる。
【００１８】
新たな管体５をスムーズに環装した後に、操作レバー２３を操作して係止穴１１から作用端を解放させると、板バネ３の付勢力によって、押動部２１が押動され、押動部２１、すなわち中空シャフト２が、図５（ａ）に示す矢印Ｄの方向に、スライドされ、図１および図３に示す管体固定状態になり、装着された新たな管体５が基体１に固定される。
【００１９】
なお、本実施の形態では、６本の板バネ３を支持部３２から反対方向に３本ずつ延出させた一体構成としたが、それぞれを個別の構成とすることもでき、さらに、反対方向に延出する２本の板バネ３を一体構成としても良い。
【００２０】
次に、本発明の他の実施の形態を図６に基づいて詳細に説明する。
図６は、本発明に係る管体着脱装置の他の実施の形態の基体および板バネの構成を示す斜視図である。
【００２１】
他の実施の形態では、基体１の軸方向に溝部１４を形成し、溝部１４に板バネ４が取り付けられ、中空シャフト２のスライドによって、板バネ４自体が、押動部２１、すなわち中空シャフト２の内周面によって押動され、溝部１４に退避されるように構成され、管体固定状態では、板バネ４の先端が中空シャフト２の周面の外側に位置し、管体解放状態では、板バネ４の先端が中空シャフト２の周面の内側に位置する。
【００２２】
以上説明したように、本実施の形態によれば、基体１の軸方向にスライドして板バネ３による管体５の固定を解除する押動部２１（中空シャフト２）を設けることにより、管体５を着脱する際には、板バネ３から管体５に力が作用しないため、力を要することなく、インクリボンが巻き回された紙管や転写済みのインクリボンを巻き取る紙管等の管体５を着脱することができ、管体５に巻き回されているインクリボン等の帯状体にシワが生じることを防止することができ、ランニングコストを低減することができるという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係る管体着脱装置の実施の形態の管体固定状態の構成を示す斜視図である。
【図２】図１に示す基体および板バネの構成を示す斜視図である。
【図３】図１に示す管体着脱装置の構成を示す図であり、（ａ）は、上面図であり、（ｂ）は、（ａ）に示すＸ−Ｘ’断面図である。
【図４】本発明に係る管体着脱装置の実施の形態の管体解放状態の構成を示す斜視図である。
【図５】図４に示す管体着脱装置の構成を示す図であり、（ａ）は、上面図であり、（ｂ）は、（ａ）に示すＹ−Ｙ’断面図である。
【図６】本発明に係る管体着脱装置の他の実施の形態の基体および板バネの構成を示す斜視図である。
【図７】従来の供給ローラ又は巻き取りローラの構成を示す斜視図である。
【符号の説明】
【００２５】
１  基体
２  中空シャフト
３、４  板バネ（弾性手段）
５  管体
６  インクリボン
１１  係止穴
１２  板バネ取り付け部
１３  退避空間
１４  溝部
２１  押動部（固定解除手段）
２２  レバー支持軸
２３  操作レバー（操作手段）
３１  係合片
３２  支持部
【図１】
2005205740.tif 000003
【図２】
2005205740.tif 000004
【図３】
2005205740.tif 000005
【図４】
2005205740.tif 000006
【図５】
2005205740.tif 000007
【図６】
2005205740.tif 000008
【図７】
2005205740.tif 000009